(57)【要約】      （修正有）【課題】洗浄水タンクからの漏水等の故障の場合には便器本体の使用可能状態を中止させるようにすると共に、上部規定水位を検知するフロートスイッチの故障の場合には、便器本体の使用可能状態を継続でき、使用者の利便性を向上させることができる水洗大便器装置を提供する。【解決手段】水洗大便器装置の制御装置は、タイマー制御モードにおいて洗浄水の供給開始から少なくとも所定時間経過した後、ポンプ装置を駆動させ、ポンプ装置の駆動中の電流値を検出し、検出した電流値に基づいて洗浄水タンク内に洗浄水が満水状態まで貯水された状態となっていたか否かを判断する貯水判断モードを備え、貯水判断モードにより洗浄水タンク内に洗浄水が満水状態まで貯水された状態となっていたと判断される場合には、便器本体の使用可能状態を継続させるようにポンプ装置の駆動を可能とする判断をする。【選択図】図４Ａ
2020133318.tif 000002
【特許請求の範囲】
【請求項１】
洗浄水によって洗浄され汚物を排出する水洗大便器装置であって、
便器本体と、
上記便器本体を洗浄する洗浄水を貯水する洗浄水タンクと、
上記洗浄水タンク内に洗浄水を供給する給水装置と、
上記洗浄水タンク内の洗浄水を上記便器本体に供給するポンプ装置と、
上記ポンプ装置の電流値を検出できると共に上記ポンプ装置を制御する制御装置と、
上記洗浄水タンクの上部規定水位を検知するフロートスイッチとを備え、
上記制御装置は、
上記フロートスイッチが上記洗浄水タンクの上部規定水位を検知しない場合に、上記給水装置による洗浄水の供給開始から少なくとも所定時間経過するまで上記給水装置により洗浄水を供給するタイマー制御モードと、
上記タイマー制御モードにおいて洗浄水の供給開始から所定時間経過した後、上記ポンプ装置を駆動させ、上記ポンプ装置の駆動中の電流値を検出し、検出した電流値に基づいて上記洗浄水タンク内に洗浄水が満水状態まで貯水された状態となっていたか否かを判断する貯水判断モードを備え、
上記貯水判断モードにより上記洗浄水タンク内に洗浄水が満水状態まで貯水された状態となっていたと判断される場合には、上記便器本体の使用可能状態を継続させるように上記ポンプ装置の駆動を可能とする判断をし、
上記貯水判断モードにより上記洗浄水タンク内に洗浄水が満水状態まで貯水された状態となっていなかったと判断される場合には、上記便器本体の使用可能状態を中止させるように上記ポンプ装置の駆動を禁止する判断をすることを特徴とする水洗大便器装置。
【請求項２】
上記制御装置の上記貯水判断モードは、上記ポンプ装置の駆動開始から駆動停止までの間に、上記ポンプ装置の駆動中の電流値が上記ポンプ装置に空気が入る場合の電流値域に到達する場合には、上記洗浄水タンク内に洗浄水が満水状態まで貯水された状態となっていなかったと判断し、
上記ポンプ装置の駆動開始から駆動停止までの間に、上記ポンプ装置の駆動中の電流値が上記ポンプ装置に空気が入る場合の電流値域に到達しなかった場合には、上記洗浄水タンク内に洗浄水が満水状態まで貯水された状態となっていたと判断する、請求項１に記載の水洗大便器装置。
【請求項３】
上記制御装置は、上記タイマー制御モードにより洗浄水の供給開始から所定時間経過した場合に、報知装置により上記フロートスイッチの故障を報知させる、請求項１又は２に記載の水洗大便器装置。
【請求項４】
上記制御装置が第１回の制御開始指令を受けたことに基づいて、上記制御装置が上記タイマー制御モードにより洗浄水の供給開始から所定時間経過した後、上記報知装置による上記フロートスイッチの故障の報知を保留させ、上記制御装置が第１回の制御開始指令の次回の洗浄要求用の第２回の制御開始指令を受けたこと、又は第１回の制御開始指令の次回以降の洗浄要求用の第２回以降の制御開始指令を連続して受けたことに基づいても、連続して上記タイマー制御モードにより洗浄水の供給開始から所定時間経過した場合に、上記制御装置は、上記報知装置により、上記フロートスイッチの故障を報知させる、請求項３に記載の水洗大便器装置。
【発明の詳細な説明】
【技術分野】
【０００１】
本発明は、水洗大便器装置に係り、特に、洗浄水によって洗浄され汚物を排出する水洗大便器装置に関する。
【背景技術】
【０００２】
従来、特許文献１に示すように、貯水タンクに貯水された洗浄水をジェット吐水口から吐水させるように加圧する加圧ポンプと、貯水タンク内の水位を検知するように貯水タンク内に設けられたフロートスイッチとを備えた水洗大便器装置が知られている。
このような水洗大便器装置の貯水タンクにおいて洗浄水が貯水されているはずの状態のときにフロートスイッチが貯水タンク内の水位を検知しない場合には、貯水タンクの破損により貯水タンク内の水位が検知されていない可能性があり、貯水タンクの破損による漏水のリスクを排除するために貯水タンク及び便器本体の使用可能状態を中止させていた。
【先行技術文献】
【特許文献】
【０００３】
【特許文献１】特開２００５−２６４４６９号公報
【発明の概要】
【発明が解決しようとする課題】
【０００４】
しかしながら、フロートスイッチが貯水タンク内の水位を検知しない場合であっても、貯水タンクが破損していない可能性もある。例えばフロートスイッチのみが故障してフロートスイッチが貯水タンク内の水位を検知しない場合には、貯水タンクからの漏水のリスクはなく、便器本体の使用可能状態を継続させても問題はない。このような場合にも、便器本体の使用可能状態を中止させるのでは、便器本体の使用可能状態を継続させても問題はないにも関わらず便器本体が使用できず、使用者の利便性がよくないという問題がある。
【０００５】
そこで、本発明は、上述した従来技術の問題点と課題を解決するためになされたものであり、洗浄水タンクからの漏水等の故障の場合には便器本体の使用可能状態を中止させるようにすると共に、上部規定水位を検知するフロートスイッチの故障の場合には、便器本体の使用可能状態を継続させることができ、使用者の利便性を向上させることができる水洗大便器装置を提供することを目的としている。
【課題を解決するための手段】
【０００６】
上記の目的を達成するために、本発明は、洗浄水によって洗浄され汚物を排出する水洗大便器装置であって、便器本体と、上記便器本体を洗浄する洗浄水を貯水する洗浄水タンクと、上記洗浄水タンク内に洗浄水を供給する給水装置と、上記洗浄水タンク内の洗浄水を上記便器本体に供給するポンプ装置と、上記ポンプ装置の電流値を検出できると共に上記ポンプ装置を制御する制御装置と、上記洗浄水タンクの上部規定水位を検知するフロートスイッチとを備え、上記制御装置は、上記フロートスイッチが上記洗浄水タンクの上部規定水位を検知しない場合に、上記給水装置による洗浄水の供給開始から少なくとも所定時間経過するまで上記給水装置により洗浄水を供給するタイマー制御モードと、上記タイマー制御モードにおいて洗浄水の供給開始から所定時間経過した後、上記ポンプ装置を駆動させ、上記ポンプ装置の駆動中の電流値を検出し、検出した電流値に基づいて上記洗浄水タンク内に洗浄水が満水状態まで貯水された状態となっていたか否かを判断する貯水判断モードを備え、上記貯水判断モードにより上記洗浄水タンク内に洗浄水が満水状態まで貯水された状態となっていたと判断される場合には、上記便器本体の使用可能状態を継続させるように上記ポンプ装置の駆動を可能とする判断をし、上記貯水判断モードにより上記洗浄水タンク内に洗浄水が満水状態まで貯水された状態となっていなかったと判断される場合には、上記便器本体の使用可能状態を中止させるように上記ポンプ装置の駆動を禁止する判断をすることを特徴としている。
このように構成された本発明においては、上記制御装置は、タイマー制御モードにおいて洗浄水の供給開始から所定時間経過した後、上記ポンプ装置を駆動させ、上記ポンプ装置の駆動中の電流値を検出し、検出した電流値に基づいて上記洗浄水タンク内に洗浄水が満水状態まで貯水された状態となっていたか否かを判断する貯水判断モードを備えている。これにより、制御装置は、貯水判断モードにより上記洗浄水タンク内に洗浄水が満水状態まで貯水された状態となっていたと判断される場合には、上記便器本体の使用可能状態（使用者が便器本体を使用できる状態）を継続させるように上記ポンプ装置の駆動を可能とする判断をし、上記貯水判断モードにより上記洗浄水タンク内に洗浄水が満水状態まで貯水された状態となっていなかったと判断される場合には、上記便器本体の使用可能状態を中止させるように上記ポンプ装置の駆動を禁止する判断をすることができる。
よって、上部規定水位を検知するフロートスイッチの故障により、フロートスイッチが洗浄水タンクの上部規定水位を検知せず、タイマー制御モードにおいて洗浄水の供給開始から所定時間経過した場合において、制御装置は、貯水判断モードにより上記洗浄水タンク内に洗浄水が満水状態まで貯水された状態となっていたと判断できる場合には、制御装置は上部規定水位を検知するフロートスイッチの故障と判断して、便器本体の使用可能状態を継続させるようにポンプ装置の駆動を可能とすることができる。
一方で、例えばポンプ装置の故障、止水栓の故障又は洗浄水タンクからの漏水等により、フロートスイッチが洗浄水タンクの上部規定水位を検知せず、タイマー制御モードにおいて洗浄水の供給開始から所定時間経過した場合において、制御装置は、貯水判断モードにより洗浄水タンク内に洗浄水が満水状態まで貯水された状態となっていなかったと判断できる場合には、制御装置はポンプ装置の故障、止水栓の故障又は洗浄水タンクからの漏水等と判断して便器本体の使用可能状態を中止させるようにポンプ装置の駆動を禁止することができる。
従って、洗浄水タンクからの漏水等の故障の場合には便器本体の使用可能状態を中止させるようにすると共に、上部規定水位を検知するフロートスイッチの故障の場合には、便器本体の使用可能状態を継続させることができ、使用者の利便性を向上させることができる。
【０００７】
本発明において、好ましくは、上記制御装置の上記貯水判断モードは、上記ポンプ装置の駆動開始から駆動停止までの間に、上記ポンプ装置の駆動中の電流値が上記ポンプ装置に空気が入る場合の電流値域に到達する場合には、上記洗浄水タンク内に洗浄水が満水状態まで貯水された状態となっていなかったと判断し、上記ポンプ装置の駆動開始から駆動停止までの間に、上記ポンプ装置の駆動中の電流値が上記ポンプ装置に空気が入る場合の電流値域に到達しなかった場合には、上記洗浄水タンク内に洗浄水が満水状態まで貯水された状態となっていたと判断する。
このように構成された本発明においては、上記制御装置の上記貯水判断モードは、上記ポンプ装置の駆動開始から駆動停止までの間に、上記ポンプ装置の駆動中の電流値が上記ポンプ装置に空気が入る場合の電流値域に到達する場合には、上記洗浄水タンク内に洗浄水が満水状態まで貯水された状態となっていなかったと判断し、上記ポンプ装置の駆動開始から駆動停止までの間に、上記ポンプ装置の駆動中の電流値が上記ポンプ装置に空気が入る場合の電流値域に到達しなかった場合には、上記洗浄水タンク内に洗浄水が満水状態まで貯水された状態となっていたと判断することができる。
よって、ポンプ装置の駆動中の電流値に基づいて、ポンプ装置に空気が入るか否かを判断することができ、洗浄水タンク内に洗浄水が満水状態まで貯水された状態となっていたか否かを比較的簡単に且つ正確に判断することができる。
【０００８】
本発明において、好ましくは、上記制御装置は、上記タイマー制御モードにより洗浄水の供給開始から所定時間経過したと判断される場合に、上記報知装置により上記フロートスイッチの故障を報知させる。
このように構成された本発明においては、制御装置は、上記タイマー制御モードにより洗浄水の供給開始から所定時間経過したと判断される場合に、フロートスイッチの故障と判断して、便器本体の使用可能状態を継続させつつも、報知装置により使用者にフロートスイッチの故障を報知することができる。また、制御装置の判断により便器本体の使用可能状態が継続するので、使用者がフロートスイッチの故障を認識しないままとなるおそれを抑制することができる。さらに、使用者がフロートスイッチの故障を認識しながらも、使用者がフロートスイッチの修理が行われるまでの間も便器本体の使用を継続できる。
【０００９】
本発明において、好ましくは、上記制御装置が第１回の制御開始指令を受けたことに基づいて、上記制御装置が上記タイマー制御モードにより洗浄水の供給開始から所定時間経過した後、上記報知装置による上記フロートスイッチの故障の報知を保留させ、上記制御装置が第１回の制御開始指令の次回の洗浄要求用の第２回の制御開始指令を受けたこと、又は第１回の制御開始指令の次回以降の洗浄要求用の第２回以降の制御開始指令を連続して受けたことに基づいても、連続して上記タイマー制御モードにより洗浄水の供給開始から所定時間経過した場合に、上記制御装置は、上記報知装置により、上記フロートスイッチの故障を報知させる。
このように構成された本発明においては、制御装置が第１回の制御開始指令を受けたことに基づいて、制御装置がタイマー制御モードにより洗浄水の供給開始から所定時間経過した後、報知装置によるフロートスイッチの故障の報知を保留させ、制御装置が第１回の制御開始指令の次回の洗浄動作要求用の第２回の制御開始指令を受けたこと、又は第１回の制御開始指令の次回以降の洗浄要求用の第２回以降の制御開始指令を連続して受けたことに基づいても、連続してタイマー制御モードにより洗浄水の供給開始から所定時間経過した場合に、制御装置は、報知装置により、フロートスイッチの故障を報知させる。これにより、長期間使用されていなかったこと等により偶然フロートスイッチが正常動作せず、実際にはフロートスイッチが故障していないというケースにおいて、制御装置が次回の洗浄動作要求用の第２回の制御開始指令を受けたことにより、又は次回以降の洗浄要求用の第２回以降の制御開始指令を連続して受けたことにより開始される洗浄動作においてフロートスイッチが動作すれば、フロートスイッチの故障を誤報知することを防ぐことができる。よって、フロートスイッチの故障の判定精度をより向上させることができ、フロートスイッチの故障を誤報知することをより抑制することができる。
【発明の効果】
【００１０】
本発明の水洗大便器装置によれば、洗浄水タンクからの漏水等の故障の場合には便器本体の使用可能状態を中止させるようにすると共に、上部規定水位を検知するフロートスイッチの故障の場合には、便器本体の使用可能状態を継続させることができ、使用者の利便性を向上させることができる。
【図面の簡単な説明】
【００１１】
【図１】本発明の一実施形態による水洗大便器装置を示す全体構成図である。
【図２】図１の洗浄水タンク装置の上面図である。
【図３】図２のIII-III線に沿って見た断面図である。
【図４Ａ】本発明の一実施形態による水洗大便器装置において、制御装置が制御開始指令を受けたときに、フロートスイッチが洗浄水タンクの上部規定水位を検知していない場合の制御装置の制御動作を示すフローチャートである。
【図４Ｂ】本発明の一実施形態による水洗大便器装置において、制御装置が制御開始指令を受けたときに、フロートスイッチが洗浄水タンクの上部規定水位を検知していない場合の制御装置の制御動作を示すフローチャートである。
【図５】本発明の一実施形態による水洗大便器装置においてポンプ装置の駆動時間と電流値との関係を示す図である。
【発明を実施するための形態】
【００１２】
次に、添付図面を参照して、本発明の一実施形態による水洗大便器装置を説明する。
先ず、図１により、本発明の一実施形態による水洗大便器装置の構造を説明する。ここで、図１は、本発明の一実施形態による水洗大便器装置を示す全体構成図である。
【００１３】
図１に示すように、本発明の一実施形態による洗浄水タンク装置を備えた水洗大便器装置１は、洗浄水により洗浄され汚物を排出する水洗大便器装置である。水洗大便器装置１は、便器本体２と、便器本体２の後方に配置された給水装置４と、便器本体２の後方に配置された洗浄水タンク装置６とを備えている。
【００１４】
便器本体２は陶器製である。便器本体２には、汚物を受けるボウル部１２と、このボウル部１２の底部から延びる排水トラップ管路１４と、ジェット吐水を行うジェット吐水口１６と、リム吐水を行うリム吐水口１８とが形成されている。ジェット吐水口１６は、ボウル部１２の底部に形成されており、排水トラップ管路１４の入口に指向してほぼ水平に配置され、洗浄水を排水トラップ管路１４に向けて吐出するようになっている。リム吐水口１８は、ボウル部１２の左側上部後方に形成されており、ボウル部１２の上縁に沿って洗浄水を吐出するようになっている。
【００１５】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。ここで、排水トラップ管路１４のトラップ下降管１４ｃの下端には、排水管８が接続されている。
【００１６】
本実施形態による水洗大便器装置１は、洗浄水を供給する水道に直結されており、水道の給水圧力によりリム吐水口１８から洗浄水が吐出される。また、ジェット吐水に関しては、後述するように、洗浄水タンク装置６の洗浄水タンク２０に貯水された洗浄水をポンプ装置２２によって送出して、大流量でジェット吐水口１６から吐出させるようになっている。
【００１７】
次に、本実施形態による水洗大便器装置１の給水装置４を説明する。
図１に示すように、給水装置４は、洗浄水タンク装置６の洗浄水タンク２０内に洗浄水を供給する。給水装置４には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。
【００１８】
給水路切替弁３６の下流側には、リム吐水口１８に洗浄水を供給するためのリム側給水路３８、及び、洗浄水タンク２０に洗浄水を供給するためのタンク側給水路４０が接続されている。
【００１９】
電磁開閉弁３４を通過した洗浄水は、給水路切替弁３６により、リム側であるリム側給水路３８からリム吐水口１８へ、及び／又は、タンク側であるタンク側給水路４０から洗浄水タンク２０に供給される。このように、水洗大便器装置１は、リム吐水に関しては水道の水圧（直圧）を利用して給水して便器を洗浄し、さらに、ジェット吐水に関しては、洗浄水タンク２０に貯水された洗浄水をポンプ装置２２によって加圧してジェット吐水口１６から吐出させるようになっているハイブリッド式（水道直圧式＋タンク給水式）の給水装置を有するハイブリッド式水洗大便器装置である。また、リム側給水路３８には、リム吐水用バキュームブレーカ４８が設けられている。タンク側給水路４０にも、逆止弁であるバキュームブレーカ４２が設けられている。タンク側給水路４０と洗浄水タンク２０の接続部には、ボール式逆止弁４３が設けられている。戻り管路５０と洗浄水タンク２０の接続部にも、ボール式逆止弁４４が設けられている。
【００２０】
次に、図１乃至図３を参照して、洗浄水タンク装置６を詳細に説明する。
図２は、図１の洗浄水タンク装置の上面図であり、図３は、図２のIII-III線に沿って見た断面図である。
洗浄水タンク装置６は、便器本体２を洗浄する洗浄水を貯水する洗浄水タンク２０と、洗浄水タンク２０内に設けられた通水管４５の取水口部４５ａから取り入れた洗浄水を便器本体２に供給するポンプ装置２２と、洗浄水タンク２０内に設けられたフロートスイッチ５２と、使用者の操作を受ける操作部５５と、ポンプ装置２２の電流値を検出できると共にポンプ装置２２を制御する制御装置５４と、フロートスイッチ５２の故障を報知する報知装置５６を備えている。
【００２１】
洗浄水タンク２０は、少なくともその下部が便器本体２の後方上部に取付けられている。洗浄水タンク２０は、便器本体２に取付けられた状態で、自身の高さが比較的低く形成されているいわゆるローシルエットタンクである。
【００２２】
図１及び図３に示すように、ポンプ装置２２は、洗浄水タンク２０内の洗浄水を便器本体２に供給するポンプである。ポンプ装置２２は、洗浄水タンク２０の側部から中に入り、その下部まで延びる通水管４５と接続される。また、ポンプ装置２２は、ジェット吐水口１６まで延びるジェット側給水路４６と接続される。ポンプ装置２２が、洗浄水タンク２０に貯水された洗浄水を吸引すると共に加圧してジェット吐水口１６まで供給するようになっている。通水管４５は、洗浄水タンク２０内を通る場合のみならず、洗浄水タンク２０の外部から洗浄水タンク２０の下部に設けられる取水口部４５ａに接続されてもよい。
【００２３】
図１に示すように、洗浄水タンク２０とジェット側給水路４６との間には、オーバーフロー流路７０が設けられている。オーバーフロー流路７０はジェット側給水路４６に接続されている。このオーバーフロー流路７０には逆止弁であるフラッパー弁７２が取り付けられている。
【００２４】
フロートスイッチ５２は、洗浄水タンクの上部において満水水位の基準となる上部規定水位を検知する。フロートスイッチ５２は、洗浄水タンク２０内の水位が上昇して上部規定水位に到達したときに、上部規定水位に到達したことを示す検知信号を発信する。制御装置５４はこの検知信号を受信すると洗浄水タンクがほぼ満水状態となったと判断できる。上部規定水位は、満水水位の基準となる水位であるが、満水水位であってもよい。なお、満水水位は通常の洗浄用に規定されている洗浄水タンク２０の止水水位である。満水状態には、満水水位のみならず満水水位の近傍の水位も含まれる。
【００２５】
図３に示すように、フロートスイッチ５２は、棒状の軸部を形成するステム（軸部）６４と、洗浄水タンク２０内の水位の変動に応じて、水位に応じた浮力を受けながらステム６４に沿って上下動するフロート部６２と、を備えている。ステム６４は、洗浄水タンク２０の上部に取付けられた取付部から垂下するように鉛直方向下方に延びている。ステム６４は、ステム６４内部にリードスイッチ（図示せず）を備えている。フロートスイッチ５２のリードスイッチは、制御装置５４と電気的に接続されている。水位に応じてフロート部６２が上下し、フロート部６２の位置に応じてリードスイッチすなわちフロートスイッチ５２のＯＮ状態（オン状態）とＯＦＦ状態（オフ状態）とが変化する。フロートスイッチ５２は、洗浄水タンク２０内の水位が満水水位である止水水位ＷＬ０（待機水位）であるときはＯＮ状態であり、水位が下降しながら、上部規定水位ＷＬ１よりも下がるときにＯＦＦ状態となったことを検知する。
水位が上部規定水位ＷＬ１よりも低い水位であるときは、フロートスイッチ５２は、ＯＦＦ状態であり、水位が再び上昇し、上部規定水位ＷＬ１に到達するとＯＮ状態となったことを検知する。よって、フロートスイッチ５２は、洗浄水タンク２０内の水位が上部規定水位ＷＬ１に到達したときに上部規定水位ＷＬ１に到達したことを示す検知信号を発信する。
【００２６】
制御装置５４は、電磁開閉弁３４、給水路切替弁３６、ポンプ装置２２及びフロートスイッチ５２、操作部５５、報知装置５６等と電気的に接続され、電気信号を相互に送受信することができ、各機能部を電気的に操作できるようになっている。例えば、制御装置５４は、電磁開閉弁３４の開閉操作、給水路切替弁３６の切替操作、及び、ポンプ装置２２の回転数や作動時間等、報知装置５６の発光状態等を制御する機能を有する。また、制御装置５４は、ポンプ装置２２の電流値（Ａ）又は回転数（ｒｐｍ）等の情報を取得する。制御装置５４は、リモコンスイッチ等の操作部５５からの操作信号を受けて又は記憶されたプログラム等に従って各機器の制御を行う。制御装置５４は、各機器を制御できるようなメモリ等の記憶装置（図示せず）及び演算装置（図示せず）を備えている。制御装置５４は、各機器の制御により例えばタイマー制御モード、貯水判断モード、安全タイマー制御モード等を実行する機能を有する。
【００２７】
制御装置５４は、フロートスイッチ５２が洗浄水タンク２０の上部規定水位を検知しない場合に、給水装置４による洗浄水の供給開始から少なくとも所定時間経過するまで給水装置４により洗浄水を供給するタイマー制御モードと、タイマー制御モードにおいて洗浄水の供給開始から所定時間経過した後、ポンプ装置２２を駆動させ、ポンプ装置２２の駆動中の電流値を検出し、検出した電流値に基づいて洗浄水タンク２０内に洗浄水が満水状態まで貯水された状態となっていたか否かを判断する貯水判断モードを備え、貯水判断モードにより洗浄水タンク２０内に洗浄水が満水状態まで貯水された状態となっていたと判断される場合には、便器本体２の使用可能状態（使用者が便器本体２を使用できる状態）を継続させるようにポンプ装置２２の駆動を可能とする判断をし、貯水判断モードにより洗浄水タンク２０内に洗浄水が満水状態まで貯水された状態となっていなかったと判断される場合には、便器本体２の使用可能状態を中止させるようにポンプ装置２２の駆動を禁止する判断をする。
【００２８】
制御装置５４の貯水判断モードは、ポンプ装置２２の駆動開始から駆動停止までの間に、ポンプ装置２２の駆動中の電流値がポンプ装置２２に空気が入る場合の電流値域に到達する場合には、洗浄水タンク２０内に洗浄水が満水状態まで貯水された状態となっていなかったと判断し、ポンプ装置２２の駆動開始から駆動停止までの間に、ポンプ装置２２の駆動中の電流値がポンプ装置２２に空気が入る場合の電流値域に到達しなかった場合には、洗浄水タンク２０内に洗浄水が満水状態まで貯水された状態となっていたと判断する。
【００２９】
制御装置５４は、タイマー制御モードにより洗浄水の供給開始から所定時間経過したと判断される場合に、報知装置５６によりフロートスイッチ５２の故障を報知させる。
制御装置５４が第１回の制御開始指令を受けたことに基づいて、制御装置５４がタイマー制御モードにより洗浄水の供給開始から所定時間経過した後、上記報知装置５６によるフロートスイッチ５２の故障の報知を保留させ、制御装置５４が第１回の制御開始指令の次回の洗浄動作要求用の（次の回の）第２回の制御開始指令を受けたこと、又は第１回の制御開始指令の次回以降の洗浄要求用の第２回以降（例えば第２回及び第３回）の制御開始指令を連続して受けたことに基づいて、制御装置５４が連続してタイマー制御モードにより洗浄水の供給開始から所定時間経過したと判断した場合に、制御装置５４は、報知装置５６により、フロートスイッチ５２の故障を報知させる。
【００３０】
操作部５５は、使用者の洗浄要求の操作を受ける操作装置であり、使用者の操作を受けて制御開始指令を制御装置５４に伝達する。
【００３１】
報知装置５６は、制御装置５４の指令を受けて、フロートスイッチ５２の故障を使用者に報知する。報知装置５６は、タイマー制御モードにおいて洗浄水の供給開始から所定時間経過したことによりフロートスイッチ５２の故障と判断される場合にフロートスイッチ５２の故障を報知する。報知装置５６は、例えばＬＥＤ等の発光装置、又は音を発する装置等である。報知装置５６によれば、フロートスイッチ５２の故障の場合に、便器本体２の使用可能状態を継続させつつも、使用者にフロートスイッチ５２の故障を報知することができる。
【００３２】
次に、図４Ａ、図４Ｂ及び図５により、本発明の一実施形態による水洗大便器装置において制御装置が制御開始指令を受けたときに、フロートスイッチが洗浄水タンクの上部規定水位を検知していない場合の制御装置の制御動作（作用）について説明する。
図４Ａは、本発明の一実施形態による水洗大便器装置において、制御装置が制御開始指令を受けたときに、フロートスイッチが洗浄水タンクの上部規定水位を検知していない場合の制御装置の制御動作を示すフローチャートであり、図４Ｂは、本発明の一実施形態による水洗大便器装置において、制御装置が制御開始指令を受けたときに、フロートスイッチが洗浄水タンクの上部規定水位を検知していない場合の制御装置の制御動作を示すフローチャートであり、図５は本発明の一実施形態による水洗大便器装置においてポンプ装置の駆動時間と電流値との関係を示す図である。図４において、Ｓは各ステップを示している。
【００３３】
先ず、図４Ａに示すように、制御装置５４が、待機状態において、制御開始指令を受けた場合、制御装置５４がスタートより制御動作を開始する。
次に、ステップＳ１では、制御装置５４は、フロートスイッチ５２が洗浄水タンク２０の上部規定水位を検知していないかを判定する。制御装置５４は、フロートスイッチ５２が洗浄水タンク２０の上部規定水位を検知している場合（ＮＯの場合）には、通常の便器洗浄動作を実行させるため、ステップＳ２に進む。制御装置５４は、フロートスイッチ５２が洗浄水タンク２０の上部規定水位を検知していない場合（ＹＥＳの場合）には、施工後の使用開始でまた水が貯められていない場合、フロートスイッチ５２の故障、ポンプ装置の故障、止水栓の故障又は洗浄水タンクからの漏水等の特殊な状況下における制御が有効であると判断して、ステップＳ３に進む。
【００３４】
ステップＳ２では、制御装置５４は、通常の便器洗浄動作を実行させる。通常の便器洗浄動作は、例えば一般的な便器洗浄動作、ポンプ装置を駆動して、洗浄水を洗浄水タンク２０から便器本体２に供給した後、給水装置４により洗浄水タンク２０に給水を行う動作であり、詳細な説明は省略する。
【００３５】
ステップＳ３では、制御装置５４は、フロートスイッチ５２が洗浄水タンク２０の上部規定水位を検知していないことから、洗浄水タンク２０内に洗浄水が貯水されていない状態であると判断しているので、洗浄水タンク２０内に洗浄水を一旦貯水させるため、給水装置４により洗浄水タンク２０への給水を開始させる。
【００３６】
ステップＳ４では、制御装置５４は、フロートスイッチ５２が洗浄水タンク２０の上部規定水位を検知したか否かを判定する。制御装置５４は、フロートスイッチ５２が洗浄水タンク２０の上部規定水位を検知した場合（ＹＥＳの場合）は、フロートスイッチ５２が正常に動作しており、洗浄水が洗浄水タンク２０の上部規定水位まで貯水されたと判断して、ステップＳ５に進む。制御装置５４は、フロートスイッチ５２が洗浄水タンク２０の上部規定水位を検知していない場合（ＮＯの場合）は、ステップＳ６に進む。
【００３７】
ステップＳ５では、制御装置５４は、ステップＳ６においてＹＥＳの判断がなされた上で後述するステップＳ８のポンプ装置２２の駆動が行われた洗浄動作の回数のカウントをリセットするカウントリセットを実行する。
【００３８】
ステップＳ６では、制御装置５４は、Ｓ３における給水装置４による洗浄水の供給開始から所定時間が経過したか否かを判定する。
制御装置５４は、給水装置４による洗浄水の供給開始から所定時間が経過していない場合（ＮＯの場合）は、ステップＳ４に戻る。
制御装置５４は、給水装置４による洗浄水の供給開始から所定時間が経過した場合（ＹＥＳの場合）は、給水装置４による洗浄水の供給が比較的少ない流量であったとしても洗浄水が洗浄水タンク２０の上部規定水位まで到達するであろうと見込まれる時間が経過したと判断できるので、ステップＳ７に進む。
制御装置５４は、ステップＳ３、Ｓ４及びＳ６により、フロートスイッチ５２が洗浄水タンク２０の上部規定水位を検知しない場合に、給水装置４による洗浄水の供給開始から所定時間が経過するまで給水装置４により洗浄水を供給するタイマー制御モードを実行している。
【００３９】
ステップＳ７では、制御装置５４は、ステップＳ５のカウントリセットが最後に行われた洗浄動作の回の後（Ｓ５のカウントリセット実行後）に、制御開始指令を受けた洗浄動作の回においてステップＳ６においてＹＥＳの判断がなされた上で後述するステップＳ８のポンプ装置２２の駆動が行われたことがあるか否かを判定する。
制御装置５４は、Ｓ５のカウントリセット実行後に、このようにステップＳ６においてＹＥＳの判断がなされた上で後述するステップＳ８のポンプ装置２２の駆動が行われたことがない場合には、ステップＳ８に進む。
制御装置５４は、Ｓ５のカウントリセット実行後に、このようにステップＳ６においてＹＥＳの判断がなされた上で後述するステップＳ８のポンプ装置２２の駆動が行われたことがある場合には、ステップＳ１６に進む。
【００４０】
ステップＳ８では、制御装置５４は、ポンプ装置２２の駆動を開始させる。ポンプ装置２２は所定の一定の回転数により回転される。ポンプ装置２２が、洗浄水タンク２０に貯水された洗浄水を吸引し、洗浄水を便器本体２に供給する。洗浄水タンク２０内の水位が止水水位ＷＬ０（待機水位）から下降を開始する。制御装置５４は、Ｓ８実行後、図４ＡのＡに進み、図４ＢのＡから図４ＢのＳ９に進む。
【００４１】
ステップＳ９では、制御装置５４は、ポンプ装置２２の駆動中の電流値Ｉ（Ａ）を検出（取得）する。
【００４２】
ステップＳ１０では、制御装置５４は、ポンプ装置２２の駆動開始から所定時間経過したか否かを判定する。
制御装置５４は、ポンプ装置２２の駆動開始から所定時間経過した場合には、ステップＳ１１に進む。
制御装置５４は、ポンプ装置２２の駆動開始から所定時間経過していない場合には、ステップＳ１０に戻る。
【００４３】
ステップＳ１１では、制御装置５４は、ポンプ装置２２の駆動を停止させる。ポンプ装置２２の駆動が停止すると、洗浄水タンク２０から便器本体２のジェット吐水口１６への洗浄水の供給が停止される。
【００４４】
ステップＳ１２では、制御装置５４は、Ｓ１１のポンプ装置２２の駆動停止から所定時間が経過したかを判定する安全タイマー制御モードの実行を開始させ、この所定時間の経過のカウントを開始させる。
【００４５】
ステップＳ１３では、制御装置５４は、フロートスイッチ５２が洗浄水タンク２０の上部規定水位を検知したか否かを判定する。
制御装置５４は、フロートスイッチ５２が洗浄水タンク２０の上部規定水位を検知した場合（ＹＥＳの場合）は、フロートスイッチ５２が正常に動作しており、洗浄水が洗浄水タンク２０の上部規定水位まで貯水されたと判断して、ステップＳ１５に進む。
制御装置５４は、フロートスイッチ５２が洗浄水タンク２０の上部規定水位を検知していない場合（ＮＯの場合）は、ステップＳ１４に進む。
【００４６】
ステップＳ１４では、制御装置５４は、Ｓ１２のカウント開始から所定時間が経過したか否かを判定する。
制御装置５４は、Ｓ１２のカウント開始から所定時間が経過していない場合（ＮＯの場合）は、ステップＳ１３に戻る。
制御装置５４は、Ｓ１２のカウント開始から所定時間が経過した場合（ＹＥＳの場合）は、Ｓ１２のポンプ装置２２の駆動停止以後給水装置４による洗浄水の供給が比較的少ない流量であったとしても洗浄水が洗浄水タンク２０の上部規定水位まで到達するであろうと見込まれる時間が経過したと判断できるので、ステップＳ１５に進む。
【００４７】
ステップＳ１５では、制御装置５４は、給水装置４による洗浄水の洗浄水タンク２０内への供給を停止させる。洗浄水タンク２０内の水位は、止水水位ＷＬ０（待機水位）となっている。制御装置５４は、エンドに進み、待機状態（図４Ａのスタート）に戻る。
【００４８】
ここまで、制御装置５４が第１回の制御開始指令を受けたことによる、制御装置５４の制御動作を説明した。続いて、図４Ａ及び図４Ｂを参照して、制御装置５４が第２回の制御開始指令を受けたことによる、制御装置５４の制御動作を説明する。
制御装置５４は、フロートスイッチ５２の故障、ポンプ装置の故障、止水栓の故障又は洗浄水タンク２０からの漏水等の状況下において、所定の条件を満たした場合に、第１回の制御開始指令を受けた場合の制御動作と、第２回の制御開始指令を受けた場合の制御動作とが異なる場合がある。第２回の制御開始指令を受けた場合の制御動作と、第１回の制御開始指令を受けた場合の制御動作とが同様である場合については説明を省略する。
【００４９】
制御装置５４は、第２回の制御開始指令を受けた場合、制御装置５４がスタートより制御動作を開始する。フロートスイッチ５２の故障、ポンプ装置の故障、止水栓の故障又は洗浄水タンク２０からの漏水等の状況下においては、フロートスイッチ５２が洗浄水タンク２０の上部規定水位を検知していない状態となるため、制御装置５４は、上述のようにステップＳ１、Ｓ３、Ｓ４、Ｓ６を実行し、ステップＳ７に進む。
【００５０】
ステップＳ７では、制御装置５４は、ステップＳ５のカウントリセットが最後に行われた洗浄動作の回の後（Ｓ５のカウントリセット実行後）に、制御開始指令を受けた洗浄動作の回においてステップＳ６においてＹＥＳの判断がなされた上で後述するステップＳ８のポンプ装置２２の駆動が行われたことがあるか否かを判定する。
フロートスイッチ５２の故障、ポンプ装置の故障、止水栓の故障又は洗浄水タンク２０からの漏水等の状況下において第２回の制御開始指令を受けた場合、制御装置５４は、制御装置５４は、例えば、施工後の洗浄水タンク２０の初回の使用によるＳ５のカウントリセット実行後（以後長期間が経過していてもよい）、第１回の制御開始指令を受けた洗浄動作の回においてステップＳ６においてＹＥＳの判断がなされた上で後述するステップＳ８のポンプ装置２２の駆動が行われたことがあると判断し、ステップＳ１６に進む。
すなわち、制御装置５４は、フロートスイッチ５２の故障、ポンプ装置の故障、止水栓の故障又は洗浄水タンク２０からの漏水等が疑われる状況下において、第１回の制御開始指令後に、ポンプ装置２２の駆動を試行的に行うことにより、この駆動の結果の電流値に基づいて、第２回の制御開始指令後にフロートスイッチ５２の故障であるか、又はポンプ装置２２の故障、止水栓の故障又は洗浄水タンク２０からの漏水であるかを区別するため、ステップＳ１６に進む。
【００５１】
ステップＳ１６では、制御装置５４は、貯水判断モードにより、前回洗浄時（第１回の制御実行時）に検出したポンプ装置２２の電流値に基づいて洗浄水タンク２０内に洗浄水が満水状態まで貯水された状態となっていたか否かを判定する。
制御装置５４の貯水判断モードは、ポンプ装置２２の駆動開始から所定時間経過後の駆動停止までの間に、ポンプ装置２２の駆動中の電流値がポンプ装置２２に空気が入る場合の電流値域に到達する場合には、洗浄水タンク２０内に洗浄水が満水状態まで貯水された状態となっていなかった（ＮＯの場合）と判断できるので、ステップＳ１７に進む。
【００５２】
図５において点線により示すように、洗浄水タンク２０内に洗浄水が全く貯水されていない場合には、ポンプ装置２２の駆動開始時刻ｔ０から空気が入り、ポンプ装置２２の電流が駆動開始時刻ｔ０から所定の電流値域Ｉ２に到達する。所定の電流値域Ｉ２は、図５において細線の点線の間の領域として示され、ポンプ装置２２に空気が入る際に、ポンプ装置２２が空回り状態になることによるポンプ装置２２の電流値の領域を示す。所定の電流値域Ｉ２は、ポンプ装置２２に空気が入る際にポンプ装置２２毎に概ね一定の水準として定められる。所定の電流値域Ｉ２は、所定の電流値の幅を持っている帯域として規定される。洗浄水タンク２０のサイズの大小、洗浄水の排出量の大小によらず、ポンプ装置２２の電流値が所定の電流値域Ｉ２に到達するとき、制御装置５４はポンプ装置２２に空気が入ったことが判断できる。
【００５３】
一方、図５において一点鎖線により示すように、洗浄水タンク２０内に洗浄水が止水水位ＷＬ０まで十分に貯水されていない場合（例えば洗浄水タンク２０の半分程度等中途半端に貯水されている場合）には、ポンプ装置２２に駆動途中ｔ１から空気が入り、ポンプ装置２２の電流が駆動開始時刻ｔ０の所定の電流値域Ｉ１から、駆動途中ｔ１において所定の電流値域Ｉ２に到達する。このように、制御装置５４は、貯水判断モードにより、洗浄水タンク２０内に洗浄水が満水状態まで貯水された状態となっていなかったことが判断できる。よって、制御装置５４は、洗浄水タンク２０内に洗浄水が満水状態まで貯水された状態となっていなかったことから、洗浄水タンク２０内に洗浄水が貯水されない事象を生じる故障、例えば、ポンプ装置２２の故障、止水栓の故障又は洗浄水タンク２０からの漏水故障である可能性があると判断できる。
このようにステップＳ１６において、制御装置５４は、ポンプ装置２２の故障、止水栓の故障又は洗浄水タンク２０からの漏水故障である場合、便器本体２の使用可能状態を中止させる必要があると判断できるので、制御装置５４は、ステップＳ１７に進む。
【００５４】
制御装置５４の貯水判断モードは、ポンプ装置２２の駆動開始から駆動停止までの間に、ポンプ装置２２の駆動中の電流値がポンプ装置２２に空気が入る場合の電流値域Ｉ２に到達しなかった場合には、洗浄水タンク２０内に洗浄水が満水状態まで貯水された状態となっていたと判断し、ステップＳ８に進む。
図５において実線により示すように、洗浄水タンク２０内に洗浄水が止水水位ＷＬ０まで十分に貯水されている場合（満水状態まで貯水されている場合）には、ポンプ装置２２に駆動開始時刻ｔ０から洗浄水が入り、ポンプ装置２２の電流が駆動開始時刻ｔ０から所定の電流値域Ｉ１となる。ポンプ装置２２の駆動時間中に、ポンプ装置２２に空気が入らないので、ポンプ装置２２の洗浄水の送出負荷に対応する電流が所定の電流値域Ｉ１のまま維持される。すなわち、ポンプ装置２２の駆動開始時刻ｔ０から駆動停止ｔ２までの間にポンプ装置２２の駆動中の電流値がポンプ装置２２に空気が入る場合の電流値域Ｉ２に到達しない。このように、制御装置５４は、貯水判断モードにより、洗浄水タンク２０内に洗浄水が満水状態まで貯水された状態となっていたことが判断できる。よって、制御装置５４は、洗浄水タンク２０内に洗浄水が満水状態まで貯水された状態となっていたことから、フロートスイッチ５２が上部規定水位を検知していない状態且つ洗浄水タンク２０内に洗浄水が満水状態まで貯水された状態となる事象を生じる故障、例えば、フロートスイッチ５２の故障である可能性があると判断できる。制御装置５４は、フロートスイッチ５２の故障であれば、フロートスイッチ５２が上部規定水位を検知していない状態であっても、便器本体２の使用可能状態を継続させることができると判断できるので、制御装置５４は、ステップＳ８に進む。ステップＳ８以降の制御動作は、前述のステップＳ８乃至Ｓ１５と同様であるので説明を省略する。
【００５５】
ステップＳ１７では、制御装置５４は、便器本体２の使用可能状態を中止させ、制御動作を中止して終了させる。
【００５６】
制御装置５４は、フロートスイッチ５２の故障の判定精度をより向上させるため、連続した少なくとも２回の制御開始指令（例えば連続した３回の制御開始指令）を受けた洗浄動作において、制御装置５４がタイマー制御モードにより洗浄水の供給開始から所定時間経過したと連続して判断した場合に、制御装置５４がフロートスイッチ５２が故障していると判断してもよい。
より具体的には、制御装置５４が第１回の制御開始指令を受けたことに基づいて、制御装置５４がタイマー制御モードにより洗浄水の供給開始から所定時間経過したと判断した後、報知装置５６によるフロートスイッチ５２の故障の報知を保留させ、制御装置５４が第１回の制御開始指令の次回の洗浄要求用の第２回の制御開始指令を受けたこと、又は第１回の制御開始指令の次回以降の洗浄要求用の第２回以降の制御開始指令を連続して受けたことに基づいても、連続してタイマー制御モードにより洗浄水の供給開始から所定時間経過した場合に、制御装置５４はフロートスイッチ５２が故障していると判断し、報知装置５６により、フロートスイッチ５２の故障を報知させる。よって、制御装置５４のこのような制御処理により、フロートスイッチ５２の故障の判定精度をより向上させることができる。
【００５７】
本発明を実施するための形態は上記に限定されるものではなく、さらなる他の変形例を適用することができる。
フロートスイッチ５２は、洗浄水タンク２０の上部において満水水位の基準となる上部規定水位を検知する第１フロートスイッチと、他の規定水位を検知する第２フロートスイッチとにより構成されていてもよい。フロートスイッチ５２が第１フロートスイッチ及び第２フロートスイッチにより構成される場合においても、第１フロートスイッチ及び第２フロートスイッチが共に水位を検知していない状態となる場合、例えば第１フロートスイッチ及び第２フロートスイッチが共に故障している場合に、図４Ａ及び図４Ｂに示すフローチャートの制御装置の制御動作により本実施形態の処理を実行することができる。よって、上部規定水位を検知する第１フロートスイッチの故障により、第１フロートスイッチが洗浄水タンク２０の上部規定水位を検知せず、タイマー制御モードにおいて洗浄水の供給開始から所定時間経過した場合においては、制御装置５４は、貯水判断モードにより洗浄水タンク２０内に洗浄水が満水状態まで貯水された状態となっていたと判断でき、便器本体２の使用可能状態を継続させるようにポンプ装置２２の駆動を可能とすることができる。
一方で、例えばポンプ装置２２の故障、止水栓の故障又は洗浄水タンク２０からの漏水等により、第１フロートスイッチが洗浄水タンク２０の上部規定水位を検知せず、タイマー制御モードにおいて洗浄水の供給開始から所定時間経過した場合においては、制御装置５４は、貯水判断モードにより洗浄水タンク２０内に洗浄水が満水状態まで貯水された状態となっていなかったと判断でき、便器本体２の使用可能状態を中止させるようにポンプ装置２２の駆動を禁止することができる。
【００５８】
次に、本発明の一実施形態による水洗大便器装置１における制御装置５４のステップＳ２において実行される通常の便器洗浄（大洗浄モード）の動作（作用）について概略を説明する。
【００５９】
図３に示すように、待機状態において、洗浄水タンク２０内の水位は止水水位ＷＬ０となっている。制御装置５４が洗浄開始の制御開始指令を受け、フロートスイッチ５２が洗浄水タンク２０の上部規定水位を検知している場合（ＮＯの場合）、制御装置５４は、通常の便器洗浄動作を実行させる。制御装置５４は、電磁開閉弁３４を開状態とさせ、洗浄水を給水路２４に流入させる。つぎに、給水路切替弁３６の開度がタンク側全開状態（洗浄水タンク側１００％）からリム側全開状態（リム側１００％）に徐々に切り替えられ、洗浄水をリム吐水口１８へ少量ずつ供給し、リム吐水口１８からの洗浄水の吐水が開始する。リム吐水口１８から前方に吐水された洗浄水は、リム洗浄として、ボウル部１２内に沿って旋回しながら流下し、ボウル部１２内を洗浄する。
【００６０】
また、制御装置５４は、ジェット吐水を行うために、ポンプ装置２２の駆動を開始させる。ポンプ装置２２が洗浄水タンク２０内の洗浄水をジェット吐水口１６へ供給し、洗浄水をジェット吐水口１６から吐水する。ポンプ装置２２が駆動を開始されると、矢印Ｆ０（図３参照）に示すように洗浄水タンク２０内の洗浄水が取水口部４５ａに向けて吸引され、取水口部４５ａから通水管４５を通って便器本体２に供給される。
【００６１】
制御装置５４は、ポンプ装置２２の駆動開始から所定時間経過後にポンプ装置２２の駆動を停止させる。ポンプ装置２２の駆動が停止されると、洗浄水タンク２０から便器本体２のジェット吐水口１６への洗浄水の供給が停止される。洗浄水タンク２０内の水位は死水水位ＷＬ２となっている。
【００６２】
また、制御装置５４は、リム吐水口１８から供給された洗浄水によるボウル部１２の洗浄を行わせる。次いで、制御装置５４は、給水路切替弁３６の開度をリム側全開状態（リム側１００％）からタンク側全開状態（洗浄水タンク側１００％）に徐々に切り替える。よって、洗浄水が給水路２４からタンク側給水路４０を介して洗浄水タンク２０内に給水され、洗浄水タンク２０内の水位が上昇する。
【００６３】
洗浄水タンク２０内の水位がさらに上昇し、上部規定水位ＷＬ１まで上昇するとき、フロートスイッチ５２がＯＦＦ状態からＯＮ状態に変化する。
【００６４】
制御装置５４は、フロートスイッチ５２のＯＮ状態の検知に基づいて、この検知から所定時間経過後に、電磁開閉弁３４を開状態から閉状態に切り替える。よって、洗浄水タンク２０内への給水が停止される。洗浄水タンク２０内の水位は上部規定水位ＷＬ１より上方の止水水位ＷＬ０となっている。制御装置５４は、待機状態に戻る。
【００６５】
上述した本発明の一実施形態による水洗大便器装置１によれば、制御装置５４は、タイマー制御モードにおいて洗浄水の供給開始から所定時間経過した後、ポンプ装置２２を駆動させ、ポンプ装置２２の駆動中の電流値を検出し、検出した電流値に基づいて洗浄水タンク２０内に洗浄水が満水状態まで貯水された状態となっていたか否かを判断する貯水判断モードを備えている。これにより、制御装置５４は、貯水判断モードにより洗浄水タンク２０内に洗浄水が満水状態まで貯水された状態となっていたと判断される場合には、便器本体２の使用可能状態（使用者が便器本体２を使用できる状態）を継続させるようにポンプ装置２２の駆動を可能とする判断をし、貯水判断モードにより洗浄水タンク２０内に洗浄水が満水状態まで貯水された状態となっていなかったと判断される場合には、便器本体２の使用可能状態を中止させるようにポンプ装置２２の駆動を禁止する判断をすることができる。よって、上部規定水位を検知するフロートスイッチ５２の故障により、フロートスイッチ５２が洗浄水タンク２０の上部規定水位を検知せず、タイマー制御モードにおいて洗浄水の供給開始から所定時間経過した場合において、制御装置５４は、貯水判断モードにより洗浄水タンク２０内に洗浄水が満水状態まで貯水された状態となっていたと判断できる場合には、制御装置５４は上部規定水位を検知するフロートスイッチ５２の故障と判断して、便器本体２の使用可能状態を継続させるようにポンプ装置２２の駆動を可能とすることができる。一方で、例えばポンプ装置２２の故障、止水栓の故障又は洗浄水タンク２０からの漏水等により、フロートスイッチ５２が洗浄水タンク２０の上部規定水位を検知せず、タイマー制御モードにおいて洗浄水の供給開始から所定時間経過した場合において、制御装置５４は、貯水判断モードにより洗浄水タンク２０内に洗浄水が満水状態まで貯水された状態となっていなかったと判断できる場合には、制御装置５４はポンプ装置２２の故障、止水栓の故障又は洗浄水タンク２０からの漏水等と判断して便器本体２の使用可能状態を中止させるようにポンプ装置２２の駆動を禁止することができる。従って、洗浄水タンク２０からの漏水等の故障の場合には便器本体２の使用可能状態を中止させるようにすると共に、上部規定水位を検知するフロートスイッチ５２の故障の場合には、便器本体２の使用可能状態を継続させることができ、使用者の利便性を向上させることができる。
【００６６】
さらに、本実施形態による水洗大便器装置１によれば、制御装置５４の貯水判断モードは、ポンプ装置２２の駆動開始から駆動停止までの間に、ポンプ装置２２の駆動中の電流値がポンプ装置２２に空気が入る場合の電流値域に到達する場合には、洗浄水タンク２０内に洗浄水が満水状態まで貯水された状態となっていなかったと判断し、ポンプ装置２２の駆動開始から駆動停止までの間に、ポンプ装置２２の駆動中の電流値がポンプ装置２２に空気が入る場合の電流値域に到達しなかった場合には、洗浄水タンク２０内に洗浄水が満水状態まで貯水された状態となっていたと判断することができる。よって、ポンプ装置２２の駆動中の電流値に基づいて、ポンプ装置２２に空気が入るか否かを判断することができ、洗浄水タンク２０内に洗浄水が満水状態まで貯水された状態となっていたか否かを比較的簡単に且つ正確に判断することができる。
【００６７】
また、本実施形態による水洗大便器装置１によれば、制御装置５４は、タイマー制御モードにより洗浄水の供給開始から所定時間経過したと判断される場合に、フロートスイッチ５２の故障と判断して、便器本体２の使用可能状態を継続させつつも、報知装置５６により使用者にフロートスイッチ５２の故障を報知することができる。また、制御装置５４の判断により便器本体２の使用可能状態が継続するので、使用者がフロートスイッチ５２の故障を認識しないままとなるおそれを抑制することができる。さらに、使用者がフロートスイッチ５２の故障を認識しながらも、使用者がフロートスイッチ５２の修理が行われるまでの間も便器本体２の使用を継続できる。
【００６８】
また、本実施形態による水洗大便器装置１によれば、制御装置５４が第１回の制御開始指令を受けたことに基づいて、制御装置５４がタイマー制御モードにより洗浄水の供給開始から所定時間経過した後、報知装置５６によるフロートスイッチ５２の故障の報知を保留させ、制御装置５４が第１回の制御開始指令の次回の洗浄動作要求用の第２回の制御開始指令を受けたこと、又は第１回の制御開始指令の次回以降の洗浄要求用の第２回以降の制御開始指令を連続して受けたことに基づいても、連続してタイマー制御モードにより洗浄水の供給開始から所定時間経過した場合に、制御装置５４は、報知装置５６により、フロートスイッチ５２の故障を報知させる。これにより、長期間使用されていなかったこと等により偶然フロートスイッチ５２が正常動作せず、実際にはフロートスイッチ５２が故障していないというケースにおいて、制御装置５４が次回の洗浄動作要求用の第２回の制御開始指令を受けたことにより、又は次回以降の洗浄要求用の第２回以降の制御開始指令を連続して受けたことにより開始される洗浄動作においてフロートスイッチ５２が動作すれば、フロートスイッチ５２の故障を誤報知することを防ぐことができる。よって、フロートスイッチ５２の故障の判定精度をより向上させることができ、フロートスイッチ５２の故障を誤報知することをより抑制することができる。
【符号の説明】
【００６９】
１      水洗大便器装置
２      便器本体
４      給水装置
２０    洗浄水タンク
２２    ポンプ装置
２６    止水栓
５２    フロートスイッチ
５４    制御装置
５６    報知装置
Ｉ      電流値
Ｉ１    電流値域
Ｉ２    電流値域
ＷＬ０  止水水位
ＷＬ１  上部規定水位
ＷＬ２  死水水位
【図１】
2020133318.tif 000003
【図２】
2020133318.tif 000004
【図３】
2020133318.tif 000005
【図４Ａ】
2020133318.tif 000006
【図４Ｂ】
2020133318.tif 000007
【図５】
2020133318.tif 000008